(57)【要約】【課題】撮像装置への供給電力を確保できる空気調和装置を提供する。【解決手段】空気調和装置は、該空気調和装置（10）の所定機器（40,40a,40b,43,45）が停止状態であるときに撮像装置（70）の撮像を実行させる制御部（19）を備える。【選択図】図６
2019039658.tif 000002
【特許請求の範囲】
【請求項１】
ケーシング（20）と、
前記ケーシング（20）の内部の所定の撮像対象（45,60）の画像データを取得する撮像装置（70）と、
空気調和装置（10）の所定機器（40,40a,40b,43,45）が停止状態であるときに前記撮像装置（70）の撮像を実行させる制御部（19）とを備えていることを特徴とする空気調和装置。
【請求項２】
請求項１において、
前記撮像対象（45,60）は、前記ケーシング（20）の内部で発生した凝縮水を回収するドレンパン（60）を含むことを特徴とする空気調和装置。
【請求項３】
請求項２において、
前記所定機器（40,40a,40b,43,45）は、前記ケーシング（20）の内部の空気を搬送するファン（40）を含み、
前記制御部（19）は、前記ファン（40）が停止状態であるときに前記撮像装置（70）の撮像を実行させることを特徴とする空気調和装置。
【請求項４】
請求項２又は３において、
前記所定機器（40,40a,40b,43,45）は、前記ケーシング（20）の内部の空気を冷却する冷却動作を行う熱交換器（43）を含み、
前記制御部（19）は、前記熱交換器（43）の冷却動作が行われない停止状態であるときに前記撮像装置（70）の撮像を実行させることを特徴とする空気調和装置。
【請求項５】
請求項４において、
前記制御部（19）は、前記熱交換器（43）の前記冷却動作の停止後に前記撮像装置（70）の撮像を実行させることを特徴とする空気調和装置。
【請求項６】
請求項４又は５において、
前記制御部（19）は、前記熱交換器（43）の前記冷却動作の開始前に前記撮像装置（70）の撮像を実行させることを特徴とする空気調和装置。
【請求項７】
請求項２乃至６のいずれか１つおいて、
前記所定機器（40,40a,40b,43,45）は、前記ドレンパン（60）の凝縮水を排水するドレンポンプ（66）を含み、
前記制御部（19）は、前記ドレンポンプ（66）が停止状態であるときに前記撮像装置（70）の撮像を実行させることを特徴とする空気調和装置。
【請求項８】
請求項７において、
前記制御部（19）は、前記ドレンポンプ（66）の運転の停止後に前記撮像装置（70）の撮像を実行させることを特徴とする空気調和装置。
【請求項９】
請求項７又は８において、
前記制御部（19）は、前記ドレンポンプ（66）の運転の開始前に前記撮像装置（70）の撮像を実行させることを特徴とする空気調和装置。
【請求項１０】
請求項１乃至９のいずれか１つにおいて、
前記撮像対象（45,60）は、前記ケーシング（20）の内部の空気を加湿する加湿エレメント（45）を含むことを特徴とする空気調和装置。
【請求項１１】
請求項１０において、
前記制御部（19）は、前記所定機器としての前記加湿エレメント（45）の運転の開始前に前記撮像装置（70）の撮像を実行させることを特徴とする空気調和装置。
【発明の詳細な説明】
【技術分野】
【０００１】
本発明は、空気調和装置に関する。
【背景技術】
【０００２】
従来より、空気調和装置が広く知られている。特許文献１には、空気調和装置のケーシングの内部において、所定の撮像対象の画像データを取得する技術が開示されている。
【０００３】
特許文献１の空気調和装置では、室内ユニットのケーシングの内部にカメラ（撮像装置）が設置される。カメラは、撮像対象（例えばフィルタ）を撮像できる位置に設けられる。カメラで撮像された撮像対象の画像データは、ＬＡＮを介して集中監視装置に出力される。サービス業者等は、集中監視装置に伝送された画像データを確認することで、撮像対象の状態（例えばフィルタの目詰まり、破れ、設置状況等）を把握することができる。
【先行技術文献】
【特許文献】
【０００４】
【特許文献１】特開２００７−４６８６４号公報
【発明の概要】
【発明が解決しようとする課題】
【０００５】
ところで、上述したような空気調和装置において、例えば冷房運転が実行されているときには、ファンなどの機器が運転状態となるため、空気調和装置の消費電力が増大する。このような状態では、撮像装置の供給電力が不足する可能性があった。
【０００６】
本発明は、このような課題に着目してなされたものであり、その目的は、撮像装置への供給電力を確保できる空気調和装置を提供することである。
【課題を解決するための手段】
【０００７】
第１の発明は、空気調和装置であって、ケーシング（20）と、前記ケーシング（20）の内部の所定の撮像対象（45,60）の画像データを取得する撮像装置（70）と、前記空気調和装置（10）の所定機器（40,40a,40b,43,45）が停止状態であるときに前記撮像装置（70）の撮像を実行させる制御部（19）とを備えていることを特徴とする空気調和装置である。
【０００８】
第１の発明では、空気調和装置（10）の所定機器（40,40a,40b,43,45）が停止状態であるときに撮像装置（70）の撮像が実行される。このため、撮像装置（70）の撮像のタイミングでは、空気調和装置の全体の消費電力が小さくなる。従って、撮像装置（70）の供給電力を確保できる。
【０００９】
第２の発明は、第１の発明において、前記撮像対象（45,60）は、前記ケーシング（20）の内部で発生した凝縮水を回収するドレンパン（60）を含むことを特徴とする空気調和装置である。
【００１０】
第２の発明では、撮像装置（70）によりドレンパン（60）の画像データが取得される。このため、サービス業者等は、ドレンパン（60）内の凝縮水の腐食や、カビの発生状況等を、画像データを通じて把握することができる。
【００１１】
第３の発明は、第２の発明において、前記所定機器（40,40a,40b,43,45）は、前記ケーシング（20）の内部の空気を搬送するファン（40）を含み、前記制御部（19）は、前記ファン（40）が停止状態であるときに前記撮像装置（70）の撮像を実行させることを特徴とする空気調和装置である。
【００１２】
第３の発明では、ファン（40）が停止状態であるときに撮像装置（70）の撮像が実行される。これにより、撮像装置（70）の撮像時における空気調和装置（10）の全体の消費電力を低減できる。
【００１３】
ファン（40）が運転状態であると、ドレンパン（60）の空気流れ、及び振動の影響により、ドレンパン（60）の内部の凝縮水の水面が不安定となる。これに対し、本発明では、撮像装置（70）の撮像のタイミングでは、ファン（40）が停止状態であり、ドレンパン（60）の内部の凝縮水の水面も安定する。従って、凝縮水の水面が不安定となることに起因して、取得したデータの画像が不鮮明となってしまうことを回避できる。
【００１４】
第４の発明は、第２又は３の発明において、前記所定機器（40,40a,40b,43,45）は、前記ケーシング（20）の内部の空気を冷却する冷却動作を行う熱交換器（43）を含み、前記制御部（19）は、前記熱交換器（43）の冷却動作が行われない停止状態であるときに前記撮像装置（70）の撮像を実行させることを特徴とする空気調和装置である。
【００１５】
第４の発明では、熱交換器（43）が停止状態であるときに撮像装置（70）の撮像が実行される。これにより、撮像装置（70）の撮像時における空気調和装置（10）の全体の消費電力を低減できる。
【００１６】
熱交換器（43）が冷却動作を行う状態では、熱交換器（43）で冷却された空気中から凝縮水が発生し易い。このため、ドレンパン（60）内の水面が上昇し易い。これに対し、本発明では、撮像装置（70）の撮像のタイミングでは、熱交換器（43）で冷却動作が行われない。このため、熱交換器（43）の冷却動作に起因してドレンパン（60）内の水面が上昇することもない。従って、凝縮水の水面が上昇することに起因して、取得した画像データが不鮮明となってしまうことを回避できる。
【００１７】
第５の発明は、第４の発明において、前記制御部（19）は、前記熱交換器（43）の前記冷却動作の停止後に前記撮像装置（70）の撮像を実行させることを特徴とする空気調和装置である。
【００１８】
第５の発明では、熱交換器（43）の冷却動作の停止後に撮像装置（70）の撮像が実行される。熱交換器（43）の冷却動作の停止直前までは、熱交換器（43）で冷却された空気中から凝縮水が発生する。このため、熱交換器（43）の冷却動作の停止後には、ドレンパン（60）の内部に凝縮水がある程度溜まっていることが期待できる。従って、このタイミングにおいて撮像を実行させることで、ドレンパン（60）の内部の凝縮水の状態を把握し易くなる。
【００１９】
第６の発明は、第４又は５の発明において、前記制御部（19）は、前記熱交換器（43）の前記冷却動作の開始前に前記撮像装置（70）の撮像を実行させることを特徴とする空気調和装置である。
【００２０】
第６の発明では、熱交換器（43）の冷却動作の開始前に撮像装置（70）の撮像が実行される。熱交換器（43）の冷却動作の開始時と、前回の冷却動作の終了時との間には、熱交換器（43）が停止状態となるある程度の期間が空いている。この期間では、ドレンパン（60）内に溜まった凝縮水の腐敗や、カビの発生が徐々に進行していく。従って、冷却動作の開始前には、このような凝縮水の腐敗や、カビの発生の度合いが顕著になり易い。本発明では、このタイミングに合わせてドレンパン（60）を撮像するため、画像データにおける凝縮水の腐敗やカビの発生が顕著となり、ドレンパン（60）の汚れの度合いをより明確に把握できる。
【００２１】
第７の発明は、第２乃至６の発明のいずれか１つおいて、前記所定機器（40,40a,40b,43,45）は、前記ドレンパン（60）の凝縮水を排水するドレンポンプ（66）を含み、前記制御部（19）は、前記ドレンポンプ（66）が停止状態であるときに前記撮像装置（70）の撮像を実行させることを特徴とする空気調和装置である。
【００２２】
第７の発明では、ドレンポンプ（66）が停止状態であるときに撮像装置（70）の撮像が実行される。これにより、撮像装置（70）の撮像時における空気調和装置（10）の全体の消費電力を低減できる。
【００２３】
ドレンポンプ（66）が運転状態であると、ドレンポンプ（66）が凝縮水を吸入することや、該ドレンポンプ（66）の振動に起因して、ドレンパン（60）の内部の凝縮水の水面が不安定となる。これに対し、本発明では、撮像装置（70）の撮像のタイミングでは、ドレンポンプ（66）が停止状態であり、ドレンパン（60）の内部の凝縮水の水面も安定する。従って、凝縮水の水面が不安定となることに起因して、取得したデータの画像が不鮮明となってしまうことを回避できる。
【００２４】
第８の発明は、第７の発明において、前記制御部（19）は、前記ドレンポンプ（66）の運転の停止後に前記撮像装置（70）の撮像を実行させることを特徴とする空気調和装置である。
【００２５】
第８の発明では、ドレンポンプ（66）の運転の停止後に撮像装置（70）の撮像が実行される。ドレンポンプ（66）の運転の停止直前までは、ドレンパン（60）の内部の凝縮水が排水される。従って、ドレンポンプ（66）の運転の停止後は、通常であれば、ドレンパン（60）の内部に凝縮水がさほど溜まっていないはずである。それにも拘わらず、ドレンパン（60）の内部に比較的多くの凝縮水が存在する場合、ドレンポンプ（66）が故障していたり、排水用の配管が詰まっていたりする不具合が想定できる。従って、このタイミングでドレンパン（60）の内部を撮像することで、凝縮水の排水構造に係る上記のような不具合を発見できる。
【００２６】
第９の発明は、第７又は８の発明において、前記制御部（19）は、前記ドレンポンプ（66）の運転の開始前に前記撮像装置（70）の撮像を実行させることを特徴とする空気調和装置である。
【００２７】
第９の発明では、ドレンポンプ（66）の運転の開始前に撮像装置（70）の撮像が実行される。ドレンポンプ（66）の運転の開始前までは、ドレンパン（60）の内部に凝縮水が溜まっていく。従って、このタイミングにおいて撮像を実行させることで、ドレンパン（60）の内部の凝縮水の状態を把握し易くなる。
【００２８】
第１０の発明は、第１乃至９の発明のいずれか１つにおいて、前記撮像対象（45,60）は、前記ケーシング（20）の内部の空気を加湿する加湿エレメント（45）を含むことを特徴とする空気調和装置である。
【００２９】
第１０の発明では、撮像装置（70）により加湿エレメント（45）の画像データが取得される。このため、サービス業者等は、加湿エレメント（45）におけるスケールやカビ等の発生状況を、画像データを通じて把握することができる。
【００３０】
第１１の発明は、第１０の発明において、前記制御部（19）は、前記所定機器としての前記加湿エレメント（45）の運転の開始前に前記撮像装置（70）の撮像を実行させることを特徴とする空気調和装置である。
【００３１】
第１１の発明では、加湿エレメント（45）が停止状態であるときに撮像装置（70）の撮像が実行される。これにより、撮像装置（70）の撮像時における空気調和装置（10）の全体の消費電力を低減できる。
【００３２】
本発明では、加湿エレメント（45）の運転の開始前に撮像装置（70）の撮像が実行される。加湿エレメント（45）の運転の開始時と、前回の運転の終了時との間には、加湿エレメント（45）が停止状態となるある程度の期間が空いている。この期間では、加湿エレメント（45）の吸湿材料等におけるスケールやカビの発生が徐々に進行していく。従って、加湿エレメント（45）の運転の開始前には、このようなスケールやカビの発生の度合いが顕著になり易い。本発明では、このタイミングに合わせて加湿エレメント（45）を撮像するため、画像データにおけるスケールやカビの発生が顕著となり、加湿エレメント（45）の汚れの度合いをより明確に把握できる。
【発明の効果】
【００３３】
本発明によれば、所定機器（40,40a,40b,43,45）が停止状態であるときに、撮像装置（70）の撮像が実行されるため、撮像装置（70）の供給電力を十分に確保できる。この結果、撮像装置（70）の信頼性を向上できる。また、空気調和装置（10）の電源の容量を低減できる。
【図面の簡単な説明】
【００３４】
【図１】図１は、実施形態１に係る空気調和装置の内部構造を示す平面図である。
【図２】図２は、実施形態１に係る空気調和装置の正面図である。
【図３】図３は、実施形態１に係る空気調和装置の内部構造を示す縦断面図である。
【図４】図４は、実施形態１に係る空気調和装置の正面パネル側の概略構成を示す斜視図である。
【図５】図５は、実施形態１に係る点検蓋の内側の構造を示す斜視図である。
【図６】図６は、実施形態１に係る撮像システムの概略構成を示すブロック図である。
【図７】図７は、実施形態１に係る各機器の動作のタイミングを示すタイムチャートである。
【図８】図８は、他の制御例１に係る各機器の動作のタイミングを示すタイムチャートである。
【図９】図９は、他の制御例２に係る各機器の動作のタイミングを示すタイムチャートである。
【図１０】図１０は、他の制御例３に係る各機器の動作のタイミングを示すタイムチャートである。
【図１１】図１１は、実施形態２に係る空気調和装置の内部構造を示す平面図である。
【図１２】図１２は、実施形態２に係る空気調和装置の内部構造を示す縦断面図である。
【図１３】図１３は、実施形態２に係る空気調和装置の正面パネル側の概略構成を示す斜視図である。
【図１４】図１４は、実施形態２に係る点検蓋の内側の構造を示す斜視図である。
【図１５】図１５は、実施形態２に係る暖房運転での各機器の動作のタイミングを示すタイムチャートである。
【図１６】図１６は、変形例に係る撮像システムの概略構成を示すブロック図である。
【発明を実施するための形態】
【００３５】
以下、本発明の実施形態について図面を参照しながら説明する。なお、以下の実施形態は、本質的に好ましい例示であって、本発明、その適用物、あるいはその用途の範囲を制限することを意図するものではない。
【００３６】
《発明の実施形態１》
本発明の実施形態１に係る空気調和装置（10）は、空気の少なくとも温度を調節する。具体的に、空気調和装置（10）は、室内空気（RA）の温度を調節し、温度を調節した空気を供給空気（SA）として室内へ供給する。空気調和装置（10）は、天井裏の空間に設置される室内ユニット（11）を備えている。室内ユニット（11）は、冷媒配管を介して室外ユニット（図示省略）に接続される。これにより、空気調和装置（10）では、冷媒回路が構成される。冷媒回路では、充填された冷媒が循環することで蒸気圧縮式の冷凍サイクルが行われる。なお、室外ユニットには、冷媒回路に接続される圧縮機及び室外熱交換器と、室外熱交換器に対応する室外ファンが設けられる。
【００３７】
〈室内ユニット〉
図１〜図３に示すように、室内ユニット（11）は、天井裏に設置されるケーシング（20）と、ケーシング（20）に収容されるファン（40）及び室内熱交換器（43）を備えている。ケーシング（20）の内部には、該ケーシング（20）内の空気中から発生した凝縮水を回収するドレンパン（60）と、ドレンパン（60）に溜まった水を排出するためのドレンポンプ（66）とが設けられる。
【００３８】
〈ケーシング〉
ケーシング（20）は、直方体の中空箱形に形成されている。ケーシング（20）は、天板（21）、底板（22）、及び４つの側板（23,24,25,26）を有している。４つの側板は、前面パネル（23）、後面パネル（24）、第１側面パネル（25）、及び第２側面パネル（26）で構成される。前面パネル（23）及び後面パネル（24）は、互いに対向している。第１側面パネル（25）及び第２側面パネル（26）は互いに対向している。
【００３９】
前面パネル（23）は、メンテナンス用空間（15）に面している。前面パネル（23）側には、電装品箱（16）、点検口（50）、及び点検蓋（51）が設けられる（詳細は後述する）。第１側面パネル（25）には、吸込口（31）が形成される。吸込口（31）には、吸込ダクト（図示省略）が接続される。吸込ダクトの流入端は、室内空間に繋がっている。第２側面パネル（26）には、吹出口（32）が形成される。吹出口（32）には、吹出ダクト（図示省略）が接続される。吹出ダクトの流出端は、室内空間に繋がっている。ケーシング（20）の内部には、吸込口（31）から吹出口（32）までの間に空気流路（33）が形成される。
【００４０】
〈ファン〉
ファン（40）は、空気流路（33）における第１側面パネル（25）寄りに配置される。ファン（40）は、空気流路（33）の空気を搬送する。本実施形態では、３台のシロッコ型ファン（41）が、１つのモータ（42）に駆動される（図１を参照）。
【００４１】
〈室内熱交換器〉
室内熱交換器（43）は、空気流路（33）における第２側面パネル（26）寄りに配置される。室内熱交換器（43）は、例えばフィンアンドチューブ式の熱交換器で構成される。本実施形態の室内熱交換器（43）は、斜め置きの配置となる。蒸発器となる室内熱交換器（43）は、空気を冷却する冷却部を構成する。
【００４２】
〈ドレンパン〉
図３に模式的に示すように、ドレンパン（60）は、底板（22）に沿うように、室内熱交換器（43）の下側に配置される。ドレンパン（60）は、第１側壁（61）、第２側壁（62）、及び底部（63）を含んでいる。第１側壁（61）は、室内熱交換器（43）の上流側に位置する。第２側壁（62）は、室内熱交換器（43）の下流側に位置する。底部（63）は、第１側壁（61）と第２側壁（62）とに亘って形成される。底部（63）には、中央寄りに略台形状の断面を有する凹部（64）が形成される。ドレンパン（60）では、この凹部（64）の底面の高さが、最も低くなる。つまり、凹部（64）には、最も深い最深部が構成されている。
【００４３】
〈ドレンポンプ〉
ドレンポンプ（66）は、ドレンパン（60）の内部に配置される。具体的に、ドレンポンプ（66）の吸込部（66a）は、ドレンパン（60）の凹部（64）の内部に配置される。ドレンポンプ（66）の吐出部には、ドレン配管（67）の流入端が接続される。ドレン配管（67）は、ケーシング（20）の前面パネル（23）を水平方向に貫通している。ドレンポンプ（66）が運転されると、ドレンパン（60）に溜まった凝縮水が汲み上げられる。汲み上げられた水は、ドレン配管（67）を介してケーシング（20）の外部へ排出される。
【００４４】
〈電装品箱〉
図１に示すように、電装品箱（16）は、前面パネル（23）のファン（40）寄りに配置される。電装品箱（16）の内部には、電源回路や制御回路等が搭載されたプリント基板（17）、各回路に接続される配線、強電側電源部、弱電側電源部などが収容される。電装品箱（16）は、前側が開口する箱本体（16a）と、箱本体（16a）の開口面を開閉する電装品蓋（16b）とを含んでいる。電装品蓋（16b）は、前面パネル（23）の一部を構成している。電装品蓋（16b）を取り外すことで、電装品箱（16）の内部がメンテナンス用空間（15）に露出される。
【００４５】
〈点検口及び点検蓋〉
図１に示すように、点検口（50）は、前面パネル（23）の室内熱交換器（43）寄りに配置される。図２及び図４に示すように、点検口（50）は、長方形部分（50a）と、該長方形部分の下側の一方の角部と連続する三角形部分（50b）とで構成される。三角形部分（50b）は、長方形部分（50a）から第２側面パネル（26）側に突出している。点検口（50）は、ドレンパン（60）に対応する位置に形成される。点検口（50）から点検蓋（51）を取り外すことで、メンテナンス用空間（15）側からドレンパン（60）の内部を点検することができる。
【００４６】
点検蓋（51）は、点検口（50）と略相似形で、且つ点検口（50）よりもやや大きな形状をしている。点検蓋（51）の外縁部には、点検蓋（51）をケーシング本体（20a）に取り付けるための複数（本例では３つ）の締結穴（52）が形成される。点検蓋（51）は、これらの締結穴（52）に挿通される複数の締結部材（例えばボルト）によって、ケーシング本体（20a）に固定される。このような構成により、点検蓋（51）は、点検口（50）を開閉するようにケーシング本体（20a）に着脱可能に取り付けられる。
【００４７】
〈ステー及びカメラ〉
図５に示すように、点検蓋（51）の内壁（51a）には、カメラ（70）を点検蓋（51）に支持させるためのステー（53）が設けられる。ステー（53）は、点検蓋（51）の内壁（51a）に固定されるとともに、カメラ（70）が取り付けられる支持部材を構成している。
【００４８】
ステー（53）は、点検蓋（51）の内壁（51a）の略中央部分に固定され、水平方向に延びている。ステー（53）の基部は、例えば点検蓋（51）に溶接されていてもよいし、複数のボルト（締結部材）を介して点検蓋（51）に締結されてもよい。ステー（53）を点検蓋（51）に溶接する場合、点検蓋（51）に締結用の穴を開ける必要がない。このため、点検蓋（51）のシール性や断熱性を確保し易くなる。一方、ステー（53）を複数の締結部材によって点検蓋（51）に締結すると、ステー（53）と点検蓋（51）の相対位置を確実に決定できる。
【００４９】
ステー（53）の長手方向に直角な断面形状は、略Ｌ字状に形成される。より詳細に、ステー（53）は、第１板部（53a）と、該第１板部（53a）と略直角な第２板部（53b）とを備えている。
【００５０】
点検蓋（51）をケーシング本体（20a）に取り付けた状態（以下、単に点検蓋（51）の取り付け状態ともいう）において、ステー（53）は、第１板部（53a）と第２板部（53b）との連続部分が上側を向くように配置される。点検蓋（51）の取り付け状態では、第１板部（53a）の下側面がドレンパン（60）（厳密には、ドレンパン（60）の凹部（64））に対向する状態となる。
【００５１】
ステー（53）には、カメラ（70）が着脱可能に取り付けられる。カメラ（70）は、撮像対象となるドレンパン（60）の画像データを撮像する撮像装置を構成している。カメラ（70）は、レンズ（71）とフラッシュ（72）とを有している。レンズは、超広角レンズで構成される。カメラ（70）の背面には、支持板（73）が固定される。支持板（73）は、ボルト（図示省略）を介してステー（53）の第１板部（53a）に固定される。これにより、カメラ（70）が、ステー（53）ひいては点検蓋（51）に支持される。
【００５２】
点検蓋（51）の取り付け状態では、カメラ（70）のレンズ（71）がドレンパン（60）（厳密には、ドレンパン（60）の凹部（64））を向いている。つまり、カメラ（70）は、点検蓋（51）の取り付け状態において、ドレンパン（60）の凹部（64）を撮像可能な位置となる（図３を参照）。
【００５３】
〈撮像システム〉
本実施形態に係る撮像システム（S）について、図６を参照しながら説明する。本実施形態に係る撮像システム（S）は、上述したカメラ（70）と、電源部（18）と、空調制御部（19）と、通信端末（80）とを含んでいる。
【００５４】
上述したカメラ（70）は、室内ユニット（11）のケーシング（20）内に設けられる。カメラ（70）は、撮像制御部（74）と、記憶部（75）と、ＩＤ付与部（76）と、無線通信部（77）と、入力部（79）とを有している。
【００５５】
撮像制御部（74）は、カメラ（70）の撮像の動作を制御する制御部を構成する。撮像制御部（74）は、空調制御部（19）から入力部（79）へ入力される信号（X）に連動して、カメラ（70）の撮像を実行させる（詳細は後述する）。これにより、カメラ（70）では、撮像対象（本実施形態では、ドレンパン（60））の画像データが取得される。撮像制御部（74）は、マイクロコンピュータと、該マイクロコンピュータを動作させるためのソフトウエアを格納するメモリディバイス（具体的には半導体メモリ）とを用いて構成されている。
【００５６】
記憶部（75）は、取得された画像データを記憶していく。記憶部（75）は、種々のメモリディバイス（半導体メモリ）によって構成される。
【００５７】
ＩＤ付与部（76）は、画像データに対応するＩＤ情報を、対応する画像データに関連付ける。このＩＤ情報としては、撮像した日付／時間、撮像したドレンパン（60）に対応する空気調和装置の機種／場所などが挙げられる。従って、記憶部（75）には、これらのＩＤ情報を含む画像データが記憶されていく。
【００５８】
無線通信部（77）は、無線によって通信端末（80）と接続される。無線式の伝送手段を構成している。無線通信部（77）は、例えば無線式のルータで構成される。無線通信部（77）は、空気調和装置（10）の周辺の通信端末（80）と無線ＬＡＮを経由して接続される。これにより、カメラ（70）と通信端末（80）との間でデータの授受が可能となる。具体的には、無線通信部（77）は、カメラ（70）で取得した画像データを無線により通信端末（80）へ伝送する。また、無線通信部（77）には、通信端末（80）（サービス業者等）からの撮像指令が適宜受信される。
【００５９】
電源部（18）は、例えば空気調和装置（10）の電装品箱（16）の内部に設けられる。カメラ（70）の電源線（85）は、例えば点検口（50）を介してケーシング（20）の外部へ導かれ、該外部から電装品箱（16）の内部へ引き込まれる。このような配線により、ケーシング（20）内のカメラ（70）と電装品箱（16）内の電源部（18）とが電源線（85）を介して接続される。これにより、電源部（18）からカメラ（70）に電力が供給される。この電源部（18）は、空気調和装置（10）の他の機器の電源を兼用している。
【００６０】
空調制御部（19）は、上述した冷房運転や暖房運転において、ファン（40）、ドレンポンプ（66）、冷媒回路の各構成機器等を適宜制御するように構成される。空調制御部（19）が、これらの所定機器を制御することに連動して、電装品側から信号（X）が出力される。カメラ（70）は、この信号（X）に連動してドレンパン（60）の画像データを取得する。
【００６１】
通信端末（80）は、無線ＬＡＮ等と接続可能なスマートフォン、タブレット端末、携帯電話、パーソナルコンピュータ等で構成される。通信端末（80）は、マイクロコンピュータと、該マイクロコンピュータを動作させるためのソフトウエア、記憶部としてのメモリディバイス、画像データを受信するための受信部、所定の指令を出力するための送信部を含んでいる。
【００６２】
また、通信端末（80）は、操作部（81）と表示部（82）とを有する。サービス業者等は、キーボードやタッチパネル等の操作部（81）により、所定のアプリケーションソフトを操作する。表示部（82）に表示されたアプリケーションソフト上では、カメラ（70）で取得した画像データをダウンロードできる。
【００６３】
−運転動作−
実施形態１に係る空気調和装置（10）の基本的な運転動作について図１及び図３を参照しながら説明する。空気調和装置（10）は、冷房運転と暖房運転とを実行可能に構成される。
【００６４】
冷房運転では、室外ユニットの圧縮機で圧縮された冷媒が、室外熱交換器で放熱（凝縮）し、膨張弁で減圧される。減圧された冷媒は、室内ユニット（11）の室内熱交換器（43）で蒸発し、圧縮機で再び圧縮される。
【００６５】
ファン（40）が運転されると、室内空間の室内空気（RA）が吸込口（31）から空気流路（33）に吸い込まれる。空気流路（33）の空気は、室内熱交換器（43）を通過する。室内熱交換器（43）では、冷媒が空気から吸熱することでこの空気が冷却される。冷却された空気は、吹出口（32）を通過した後、供給空気（SA）として室内空間へ供給される。
【００６６】
ここで、室内熱交換器（43）で空気が露点温度以下にまで冷却されると、空気中の水分が凝縮する。このようにして発生した凝縮水は、ドレンパン（60）へ適宜回収される。ドレンパン（60）に回収された凝縮水は、ドレンポンプ（66）によってケーシング（20）の外部へ排出される。
【００６７】
一方、暖房運転では、室外ユニットの圧縮機で圧縮された冷媒が、室内ユニット（11）の室内熱交換器（43）で放熱（凝縮）し、膨張弁で減圧される。減圧された冷媒は、室外ユニットの室外熱交換器で蒸発し、圧縮機で再び圧縮される。このため、室内熱交換器（43）では、冷媒が空気に放熱し、該空気が加熱される。
【００６８】
〈撮像システムの動作〉
点検蓋（51）の取り付け状態では、カメラ（70）のレンズ（71）がドレンパン（60）の内部を指向している。この状態において、カメラ（70）に撮像の実行命令が入力されると、カメラ（70）の撮像が行われる。この際、フラッシュ（72）が動作することで、ドレンパン（60）の内部が照らされる。これにより、ドレンパン（60）の内部の画像データが取得される。
【００６９】
このようにしてカメラ（70）に記憶された画像データは、ＩＤ情報とともに通信端末（80）へ出力される。従って、サービス業者等は、この画像データを表示部（82）により確認でき、ドレンパン（60）の状態を適宜把握することができる。具体的に、サービス業者等は、この画像データを確認することで、ドレンパン（60）内の凝縮水の腐敗、カビ、汚れ等の度合いや、ドレンパン（60）内の水位の確認、ドレン配管（67）の詰まりの有無、ドレンポンプ（66）の故障の有無などを把握することができる。
【００７０】
〈撮像のタイミング〉
カメラ（70）によるドレンパン（60）の撮像のタイミングについて、図６及び図７を参照しながら詳細に説明する。カメラ（70）の撮像が上述した冷房運転に連動して実行される。
【００７１】
具体的に、本実施形態のカメラ（70）の撮像は、ファン（40）の運転の開始前で且つ室内熱交換器（43）の冷却動作の開始前に実行される。
【００７２】
ここで、室内熱交換器（43）の冷却動作とは、蒸発器となる室内熱交換器（43）を流れる冷媒によって空気を冷却する動作である。従って、室内熱交換器（43）の停止状態とは、室内熱交換器（43）を実質的に冷媒が流れず、空気が冷却されない状態を意味する。空気調和装置（10）では、例えば圧縮機が停止する、あるいは室内熱交換器（43）の冷媒の流通が制限されることで、室内熱交換器（43）が停止状態となる。
【００７３】
図７に示すように、空調制御部（19）に冷房運転の開始指令が時点ｔ１に入力されると、空調制御部（19）は、この時点ｔ１よりもΔＴａ後の時点ｔ２に、ファン（40）を運転させる制御と、室内熱交換器（43）の冷却動作を開始させる制御とを行う。これにより、時点ｔ２から冷房運転が開始される。
【００７４】
一方、空調制御部（19）は、冷房運転の開始指令が入力される時点ｔ１と同時に、カメラ（70）の撮像を実行させるための信号（X）をカメラ（70）へ出力する。カメラ（70）の入力部（79）にこの信号（X）が入力されると、撮像制御部（74）は、カメラ（70）の撮像を実行させる。これにより、カメラ（70）は、冷房運転の開始指令とほぼ同じタイミングでドレンパン（60）の画像データを取得することになる。以上により、本実施形態では、ファン（40）の運転の開始直前、且つ室内熱交換器（43）の冷却動作の開始直前に、カメラ（70）の撮像が実行される。換言すると、冷房運転の開始直前にカメラ（70）の撮像が実行される。
【００７５】
−実施形態１の効果−
実施形態１に係る撮像の時点ｔ１では、ファン（40）及び室内熱交換器（43）が停止状態となる。このため、時点ｔ１では、空気調和装置（10）の全体の消費電力が小さくなる。従って、電源部（18）からカメラ（70）へ送られる供給電力を十分に確保できる。
【００７６】
ファン（40）が運転状態であると、ドレンパン（60）の空気流れ、及び振動の影響により、ドレンパン（60）の内部の凝縮水の水面が不安定となる。これに対し、本実施形態では、時点ｔ１において、ファン（40）が停止状態であるため、ドレンパン（60）の内部の凝縮水の水面も安定する。従って、凝縮水の水面が不安定となることに起因して、ドレンパン（60）の画像データが不鮮明となってしまうことを回避できる。
【００７７】
室内熱交換器（43）が冷却動作を行う状態では、室内熱交換器（43）で冷却された空気中から凝縮水が発生し易い。このため、ドレンパン（60）内の水面が上昇し易い。これに対し、本実施形態では、時点ｔ１において、室内熱交換器（43）が停止状態である。このため、室内熱交換器（43）の冷却動作に起因してドレンパン（60）内の水面が上昇することもない。従って、凝縮水の水面が上昇することに起因して、ドレンパン（60）の画像データが不鮮明となってしまうことを回避できる。
【００７８】
前回の冷房運転から次の冷房運転までの間の期間（つまり、空気調和装置（10）の停止期間）では、ドレンパン（60）内に溜まった凝縮水の腐敗や、カビの発生が徐々に進行していく。従って、冷房運転の開始直前には、このような凝縮水の腐敗や、カビの発生の度合いが顕著になり易い。本実施形態では、次の冷房運転の開始直前である時点ｔ１において、ドレンパン（60）を撮像する。このため、画像データにおける凝縮水の腐敗やカビの発生が顕著となり、ドレンパン（60）の汚れの度合いをより明確に把握できる。
【００７９】
〈撮像の動作のタイミングの他の制御例〉
上記実施形態においては、以下のようなタイミングでドレンパン（60）を撮像してもよい。なお、上述した実施形態や、以下に例示する他の形態の各タイミングを組み合わせることもできる。
【００８０】
−制御例１−
制御例１では、カメラ（70）の撮像が、ファン（40）の運転の停止後で且つ室内熱交換器（43）の冷却動作の停止後に実行される。
【００８１】
図８に示すように、空調制御部（19）に冷房運転の停止指令が時点ｔ３に入力されると、空調制御部（19）は、ファン（40）を停止させる制御と、室内熱交換器（43）の冷却動作を停止させる制御とを行う。これにより、時点ｔ３から冷房運転が停止される。
【００８２】
一方、空調制御部（19）は、この時点ｔ３よりもΔＴｂ後の時点ｔ４にカメラ（70）の撮像を実行させるための信号（X）をカメラ（70）へ出力する。カメラ（70）の入力部（79）にこの信号（X）が入力されると、撮像制御部（74）は、カメラ（70）の撮像を実行させる。これにより、カメラ（70）は、冷房運転の終了よりやや遅れたタイミングでドレンパン（60）の画像データを取得することになる。以上により、本実施形態では、ファン（40）の運転の終了直後、且つ室内熱交換器（43）の冷却動作の終了直後に、カメラ（70）の撮像が実行される。換言すると、冷房運転の停止直後にカメラ（70）の撮像が実行される。
【００８３】
他の制御例１に係る撮像の時点ｔ４では、ファン（40）及び室内熱交換器（43）が停止状態となる。このため、上記実施形態と同様、空気調和装置（10）の全体の消費電力が小さくなる。従って、電源部（18）からカメラ（70）へ送られる供給電力を十分に確保できる。また、ファン（40）や室内熱交換器（43）が停止状態となることで、撮像時おけるドレンパン（60）の水面も安定する。
【００８４】
時点ｔ４の直前までは、室内熱交換器（43）が冷却動作を行っており、空気中から凝縮水が発生する可能性が高い。このため、時点ｔ４においては、基本的には、ドレンパン（60）の内部に凝縮水が溜まっている。従って、時点ｔ４において、ドレンパン（60）の画像データを取得することで、ドレンパン（60）の内部の凝縮水の状態を確認することができる。
【００８５】
−制御例２−
制御例２では、カメラ（70）の撮像が、ドレンポンプ（66）の運転の停止後に実行される。ここで、ドレンポンプ（66）は、例えば冷房運転の開始と同時に運転され、冷房運転の停止直後に停止される。あるいは、ドレンポンプ（66）は、タイマー等により間欠的に運転されるものであってもよし、ドレンパン（60）の水位が所定レベルを越えると実行されるものであってもよい。
【００８６】
図９に示すように、例えば時点ｔ５においてドレンポンプ（66）を停止させる指令があると、空調制御部（19）は、ドレンポンプ（66）を時点ｔ５において停止させる制御を行う。この場合、空調制御部（19）は、時点ｔ５からΔＴｃ後の時点ｔ６において、信号（X）をカメラ（70）の入力部（79）に出力する。これにより、ドレンポンプ（66）の停止直後の時点ｔ６において、カメラ（70）の撮像が実行される。
【００８７】
他の制御例２に係る撮像の時点ｔ６では、ドレンポンプ（66）が停止状態となる。このため、上記実施形態と同様、空気調和装置（10）の全体の消費電力が小さくなる。従って、電源部（18）からカメラ（70）へ送られる供給電力を十分に確保できる。
【００８８】
ドレンポンプ（66）が運転状態であると、ドレンポンプ（66）が凝縮水を吸入することや、該ドレンポンプ（66）の振動に起因して、ドレンパン（60）の内部の凝縮水の水面が不安定となる。これに対し、時点ｔ６では、ドレンポンプ（66）が停止状態であり、ドレンパン（60）の内部の凝縮水の水面も安定する。従って、凝縮水の水面が不安定となることに起因して、取得したデータの画像が不鮮明となってしまうことを回避できる。
【００８９】
ドレンポンプ（66）の運転の停止直前までは、ドレンパン（60）の内部の凝縮水が排水される。従って、ドレンポンプ（66）の運転の停止直後は、通常であれば、ドレンパン（60）の内部に凝縮水がさほど溜まっていないはずである。それにも拘わらず、ドレンパン（60）の内部に比較的多くの凝縮水が存在する場合、ドレンポンプ（66）が故障していたり、排水用の配管が詰まっていたりする不具合が想定できる。従って、時点ｔ６においてドレンパン（60）の内部を撮像することで、凝縮水の排水構造に係る上記のような不具合を発見できる。
【００９０】
−制御例３−
制御例３では、カメラ（70）の撮像が、ドレンポンプ（66）の運転の開始前に実行される。図１０に示すように、例えば時点ｔ７においてドレンポンプ（66）を運転させる指令があると、空調制御部（19）は、ドレンポンプ（66）を時点ｔ７からΔＴｄ後の時点ｔ８において、ドレンポンプ（66）を運転させる制御を行う。一方、空調制御部（19）は、時点ｔ７において、信号（X）をカメラ（70）の入力部（79）に出力する。これにより、ドレンポンプ（66）の運転直前の時点ｔ７において、カメラ（70）の撮像が実行される。
【００９１】
他の制御例３に係る撮像の時点ｔ７では、ドレンポンプ（66）が停止状態となる。このため、上記実施形態と同様、空気調和装置（10）の全体の消費電力が小さくなる。従って、電源部（18）からカメラ（70）へ送られる供給電力を十分に確保できる。また、ドレンパン（60）の凝縮水の水面も安定する。
【００９２】
ドレンポンプ（66）の運転の開始前までは、ドレンパン（60）の内部に凝縮水が溜まっていく。従って、時点ｔ７においてカメラ（70）の撮像を実行させることで、ドレンパン（60）の内部の凝縮水の状態を把握し易くなる。
【００９３】
《発明の実施形態２》
本発明の実施形態２に係る空気調和装置（10）は、上記実施形態１と基本的な構成が異なる。実施形態２の空気調和装置（10）は、室外空気（OA）を取り込み、この空気の温度及び湿度を調節する。そして、空気調和装置（10）は、このように処理した空気を供給空気（SA）として室内へ供給する。つまり、空気調和装置（10）は、外気処理方式である。また、空気調和装置（10）は、例えば冬場等において、空気を加湿するための加湿エレメント（45）を備えている。
【００９４】
空気調和装置（10）は、例えば天井裏の空間に設置される。また、空気調和装置（10）は、実施形態１と同様にして、室外ユニット（図示省略）と、室内ユニット（11）とを有し、これらが冷媒配管で接続されることで、冷媒回路が構成される。
【００９５】
〈室内ユニット〉
図１１及び図１２に示すように、室内ユニット（11）は、天井裏に設置されるケーシング（20）と、給気ファン（40a）と、排気ファン（40b）と、室内熱交換器（43）と、全熱交換器（44）と、加湿エレメント（45）とを備えている。また、ケーシング（20）の内部には、室内熱交換器（43）で発生した凝縮水を回収するドレンパン（60）と、ドレンパン（60）に溜まった水を排出するための排水口（図示省略）とが設けられる。
【００９６】
〈ケーシング〉
ケーシング（20）は、直方体の中空箱形に形成されている。実施形態２のケーシング（20）は、実施形態１と同様、天板（21）、底板（22）、前面パネル（23）、後面パネル（24）、第１側面パネル（25）、及び第２側面パネル（26）を備えている。
【００９７】
前面パネル（23）は、メンテナンス用空間（15）に面している。前面パネル（23）側には、電装品箱（16）、点検口（50）、及び点検蓋（51）が設けられる（詳細は後述する）。第１側面パネル（25）には、内気口（34）及び給気口（35）が形成される。内気口（34）には、内気ダクト（図示省略）が接続される。内気ダクトの流入端は、室内空間に繋がっている。給気口（35）には、給気ダクト（図示省略）が接続される。給気ダクトの流出端は、室内空間に繋がっている。第２側面パネル（26）には、排気口（36）及び外気口（37）が形成される。排気口（36）には、排気ダクト（図示省略）が接続される。排気ダクトの流出端は、室外空間に繋がっている。外気口（37）には、外気ダクト（図示省略）が接続される。外気ダクトの流入端は、室外空間に繋がっている。
【００９８】
ケーシング（20）の内部には、給気流路（33A）と、排気流路（33B）とが形成される。給気流路（33A）は、外気口（37）から給気口（35）に亘るまでの流路である。排気流路（33B）は、内気口（34）から排気口（36）に亘るまでの流路である。
【００９９】
〈全熱交換器〉
全熱交換器（44）は、横長の四角柱状に形成される。全熱交換器（44）は、例えば２種類のシートが水平方向に交互に積み重なって構成される。２種類のシートのうちの一方には、給気流路（33A）に連通する第１通路（44a）が形成される。２種類のシートのうちの他方のシートには、排気流路（33B）に連通する第２通路（44b）が形成される。各シートは、伝熱性及び吸湿性を有する材料で構成される。このため、全熱交換器（44）では、第１通路（44a）を流れる空気と、第２通路（44b）を流れる空気との間で潜熱及び顕熱の交換が行われる。
【０１００】
〈給気ファン〉
給気ファン（40a）は、給気流路（33A）に配置され、給気流路（33A）の空気を搬送する。より詳細には、給気ファン（40a）は、給気流路（33A）において、全熱交換器（44）の第１通路（44a）と室内熱交換器（43）との間に配置される。
【０１０１】
〈排気ファン〉
排気ファン（40b）は、排気流路（33B）に配置され、排気流路（33B）の空気を搬送する。より詳細には、排気ファン（40b）は、排気流路（33B）において、全熱交換器（44）の第２通路（44b）の下流側に配置される。
【０１０２】
〈室内熱交換器〉
室内熱交換器（43）は、給気流路（33A）における前面パネル（23）寄りに配置される。室内熱交換器（43）は、例えばフィンアンドチューブ式の熱交換器で構成される。
【０１０３】
〈加湿エレメント〉
加湿エレメント（45）は、給気流路（33A）における前面パネル（23）寄りに配置される。加湿エレメント（45）は、給気流路（33A）における室内熱交換器（43）の下流側に配置される。加湿エレメント（45）は、上下に延びる複数の吸湿材料が水平方向に配列されて構成される。これらの吸湿材料には、給水タンク（図示省略）からの水が供給される。加湿エレメント（45）では、吸湿材料の周囲を流れる空気中に、蒸発した空気が付与される。これにより、給気流路（33A）を流れる空気が加湿される。
【０１０４】
〈ドレンパン〉
図１２に模式的に示すように、ドレンパン（60）は、室内熱交換器（43）の下側に設置され、室内熱交換器（43）で発生した凝縮水を回収する。また、実施形態２のドレンパン（60）は、加湿エレメント（45）の下側に配置される。このため、ドレンパン（60）は、加湿エレメント（45）から流出した水（加湿水）も回収可能となっている。
【０１０５】
〈電装品箱〉
図１１及び図１３に示すように、電装品箱（16）は、前面パネル（23）の前面、且つ略中央部に設けられる。電装品箱（16）の内部には、実施形態１と同様の電装品が収容される。
【０１０６】
〈点検口及び点検蓋〉
図１３に示すように、点検口（50）は、前面パネル（23）のうち室内熱交換器（43）及び加湿エレメント（45）の近傍に配置される。点検口（50）は、ドレンパン（60）及び加湿エレメント（45）に対応する位置に形成される。点検口（50）から点検蓋（51）を取り外すことで、メンテナンス用空間（15）側から、ドレンパン（60）の内部や加湿エレメント（45）を点検することができる。
【０１０７】
点検蓋（51）は、複数の締結部材を介してケーシング本体（20a）に取り付けられる。つまり、点検蓋（51）は、実施形態２と同様にして、点検口（50）を開閉するようにケーシング本体（20a）に着脱可能に取り付けられる。
【０１０８】
〈ステー及びカメラ〉
図１４に示すように、点検蓋（51）の内壁（51a）には、カメラ（70）を点検蓋（51）に支持させるためのステー（53）が設けられる。ステー（53）は、点検蓋（51）の内壁（51a）の略中央部分に固定され、水平方向に延びている。ステー（53）の基部は、例えば点検蓋（51）に溶接されていてもよいし、複数のボルト（締結部材）を介して点検蓋（51）に締結されてもよい。
【０１０９】
実施形態２のステー（53）は、板金が階段状に折り返されて構成される。ステー（53）は、基部側から先端側に向かって順に、固定板部（54a）、縦板部（54b）、横板部（54c）、及び取付板部（54d）が連続して構成される。固定板部（54a）は、点検蓋（51）の内壁（51a）に沿って形成され、該内壁（51a）に複数（本例では２本）の締結部材（55）（ボルト等）を介して固定される。縦板部（54b）は、点検蓋（51）の内壁（51a）からケーシング（20）の後面パネル（24）側に向かって延出している。横板部（54c）は、点検蓋（51）の内壁（51a）と平行で、且つステー（53）の基部側から斜め上方に延びている。取付板部（54d）は、横板部（54c）からケーシング（20）の後面パネル（24）側に向かって延出している。取付板部（54d）は、ドレンパン（60）の底部（63）の最も低い部分を指向するように斜め下方を向いている。
【０１１０】
ステー（53）には、カメラ（70）が着脱可能に取り付けられる。カメラ（70）の背面には、支持板（73）が固定される。支持板（73）は、ボルト（図示省略）を介してステー（53）の取付板部（54d）に固定される。これにより、カメラ（70）が、ステー（53）ひいては点検蓋（51）に支持される。カメラ（70）の基本的な構成は、実施形態１と同じである。
【０１１１】
点検蓋（51）をケーシング本体（20a）の取り付けた状態では、カメラ（70）のレンズ（71）がドレンパン（60）の内部を向いている。つまり、カメラ（70）は、点検蓋（51）の取り付け状態において、ドレンパン（60）の内部を撮像可能な位置となる。
【０１１２】
また、実施形態２において、点検蓋（51）をケーシング本体（20a）に取り付けた状態では、カメラ（70）が、加湿エレメント（45）の一部を撮像可能な位置となる。つまり、実施形態２では、ドレンパン（60）と加湿エレメント（45）が、カメラ（70）の撮像対象となる。
【０１１３】
撮像システム（S）の基本構成は、実施形態１（図６を参照）と同じである。
【０１１４】
−運転動作−
実施形態２に係る空気調和装置（10）の運転動作について図１１及び図１２を参照しながら説明する。空気調和装置（10）は、冷房運転と暖房運転とを実行可能に構成される。
【０１１５】
上記実施形態１と同様、冷房運転では、室内熱交換器（43）が蒸発器となり、暖房運転では、室内熱交換器（43）が凝縮器（放熱器）となる。また、暖房運転では、空気を加湿するために加湿エレメント（45）が作動する。また、冷房運転及び暖房運転では、給気ファン（40a）及び排気ファン（40b）が作動すると、室外空気（OA）が外気口（37）から給気流路（33A）に取り込まれると同時に、室内空気（RA）が内気口（34）から排気流路（33B）に取り込まれる。これにより、室内空間の換気が行われる。
【０１１６】
冷房運転において、給気流路（33A）に取り込まれた室外空気（OA）は、全熱交換器（44）の第１通路（44a）を流れる。一方、排気流路（33B）に取り込まれた室内空気（RA）は、全熱交換器（44）の第２通路（44b）を流れる。例えば夏季においては、室外空気（OA）は、室内空気（RA）よりも温度及び湿度が高い。このため、全熱交換器（44）では、室外空気（OA）の潜熱及び顕熱が、室内空気（RA）へ付与される。この結果、第１通路（44a）では、空気の冷却及び除湿が行われる。第２通路（44b）において、潜熱及び顕熱が付与された空気は、排気口（36）を通過し、排出空気（EA）として室外空間へ排出される。
【０１１７】
第１通路（44a）で冷却及び除湿された空気は、室内熱交換器（43）で冷却された後、停止状態の加湿エレメント（45）を通過する。その後、この空気は、給気口（35）を通過し、供給空気（SA）として室内空間へ供給される。
【０１１８】
暖房運転において、給気流路（33A）に取り込まれた室外空気（OA）は、全熱交換器（44）の第１通路（44a）を流れる。一方、排気流路（33B）に取り込まれた室内空気（RA）は、全熱交換器（44）の第２通路（44b）を流れる。例えば冬季においては、室外空気（OA）は、室内空気（RA）よりも温度及び湿度が低い。このため、全熱交換器（44）では、室内空気（RA）の潜熱及び顕熱が、室外空気（OA）へ付与される。この結果、第１通路（44a）では、空気の加熱及び加湿が行われる。第２通路（44b）において、潜熱及び顕熱が奪われた空気は、排気口（36）を通過し、排出空気（EA）として室外空間へ排出される。
【０１１９】
第１通路（44a）で加熱及び加湿された空気は、室内熱交換器（43）で加熱された後、加湿エレメント（45）を通過する。加湿エレメント（45）では、吸湿材料で気化した水分が空気に付与され、この空気が更に加湿される。加湿エレメント（45）を通過した空気は、給気口（35）を通過し、供給空気（SA）として室内空間へ供給される。
【０１２０】
〈撮像システムの動作〉
点検蓋（51）の取り付け状態では、カメラ（70）のレンズ（71）がドレンパン（60）及び加湿エレメント（45）を指向している。この状態において、カメラ（70）に撮像の実行命令が入力されると、この状態において、カメラ（70）に撮像の実行命令が入力されると、カメラ（70）の撮像が行われる。この際、フラッシュ（72）が動作することで、ドレンパン（60）の内部、及び加湿エレメント（45）の内部が照らされる。これにより、ドレンパン（60）の内部や加湿エレメント（45）の画像データが取得される。実施形態２では、加湿エレメント（45）の画像データを確認することで、例えば加湿エレメント（45）の吸湿材料でのスケールやカビの発生を確認できる。
【０１２１】
〈撮像のタイミング〉
実施形態２に係る空気調和装置（10）の冷房運転では、上述した実施形態１や、他の制御例と同様のタイミングで、カメラ（70）の撮像が実行される。加えて、実施形態２では、カメラ（70）の撮像が、暖房運転の開始前に実行される。具体的には、実施形態２のカメラ（70）の撮像は、ファン（給気ファン（40a）及び排気ファン（40b））の運転の開始前、且つ室内熱交換器（43）の加熱動作の開始前、且つ加湿エレメント（45）の運転の開始前に実行される。
【０１２２】
図１５に示すように、空調制御部（19）に暖房運転の開始指令が時点ｔ９に入力されると、空調制御部（19）は、この時点ｔ９よりもΔＴｅ後の時点ｔ１０に、給気ファン（40a）及び排気ファン（40b）を運転させる制御と、室内熱交換器（43）の加熱動作を開始させる制御と、加湿エレメント（45）を運転させる制御とを行う。これにより、時点ｔ１０から暖房運転が開始される。
【０１２３】
一方、空調制御部（19）は、暖房運転の開始指令が入力される時点ｔ９と同時に、カメラ（70）の撮像を実行させるための信号（X）をカメラ（70）へ出力する。カメラ（70）の入力部（79）にこの信号（X）が入力されると、撮像制御部（74）は、カメラ（70）の撮像を実行させる。これにより、カメラ（70）は、暖房運転の開始指令とほぼ同じタイミングでドレンパン（60）及び加湿エレメント（45）の画像データを取得することになる。
【０１２４】
時点ｔ９では、給気ファン（40a）、排気ファン（40b）、室内熱交換器（43）、及び加湿エレメント（45）が停止状態となる。このため、時点ｔ９では、空気調和装置（10）の全体の消費電力が小さくなる。従って、電源部（18）からカメラ（70）へ送られる供給電力を十分に確保できる。また、時点ｔ９では、ドレンパン（60）の内部の水の水面も安定する。
【０１２５】
前回の暖房運転から次の暖房運転までの間の期間（つまり、空気調和装置（10）の停止期間）では、加湿エレメント（45）の吸湿部材において、スケールやカビの発生が進行していく。従って、暖房運転の開始直前には、このようスケールやカビの発生の度合いが顕著になり易い。実施形態２では、次の暖房運転の開始直前である時点ｔ９において、加湿エレメント（45）を撮像する。このため、加湿エレメント（45）の画像データにおけるスケールやカビの発生が顕著となり、加湿エレメント（45）の汚れの度合いをより明確に把握できる。
【０１２６】
《撮像システムの変形例》
上記実施形態１や２の空気調和装置（10）においては、以下に挙げる変形例に係る撮像システム（S）を採用してもよい。
【０１２７】
図１６に示す変形例の撮像システム（S）は、カメラ（70）と別体の通信ユニット（90）を備えている。通信ユニット（90）は、ケーシング（20）の外部に配置され、伝送線（91）を介してカメラ（70）と接続される。伝送線（91）は、例えば点検蓋（51）に形成した配線用の貫通穴に挿通される。伝送線（91）は、カメラ（70）側の第１送受信部（78）と、通信ユニット（90）側の第２送受信部（92）とに接続される。これにより、カメラ（70）と通信ユニット（90）との間で画像データや信号の授受が可能となっている。
【０１２８】
上記実施形態１や２では、記憶部（75）、ＩＤ付与部（76）、及び無線通信部（77）がカメラ（70）に設けられる。これに対し、変形例１では、記憶部（75）、ＩＤ付与部（76）、及び無線通信部（77）が通信ユニット（90）に設けられる。通信端末（80）は、無線により、通信ユニット（90）の無線通信部（77）と接続される。
【０１２９】
通信ユニット（90）及び通信端末（80）は、ネットワーク（N）を介してクラウドサーバ（95）に接続される。
【０１３０】
カメラ（70）で取得した画像データは、伝送線（91）を介して通信ユニット（90）へ入力され、記憶部（75）に適宜記憶される。この際、ＩＤ付与部（76）は、画像データに対応するＩＤ情報を、該画像データに関連付ける。例えば通信ユニット（90）側の画像データは、ネットワーク（N）を経由してクラウドサーバ（95）に送られ、該クラウドサーバ（95）に記憶されていく。通信端末（80）は、クラウドサーバ（95）から画像データを取得することができる。
【０１３１】
この変形例では、通信端末（80）と無線によりデータの授受を行う通信ユニット（90）がケーシング（20）の外部に設けられる。このため、通信端末（80）と通信ユニット（90）との間の電波が干渉しにくくなり、データの伝送が安定する。
【０１３２】
クラウドサーバ（95）には、判定部（96）が設けられる。判定部（96）は、カメラ（70）で取得した画像データに基づき、撮像対象（45,60）の状態を自動的に判定する。なお、判定部（96）を通信ユニット（90）やカメラ（70）や通信端末（80）に設けることもできる。
【０１３３】
空気調和装置（10）の運転に連動してカメラ（70）が撮像対象（45,60）の内部の画像データを取得すると、この画像データは、通信ユニット（90）を経由してクラウドサーバ（95）に送られる。クラウドサーバ（95）の判定部（96）では、これらの画像データに基づき、撮像対象（45,60）の状態を判定する。ここで、判定部（96）は、例えばＡＩ（人工知能）のディープラーニングを用いることで実現される。これにより、判定部（96）では、例えばドレンパン（60）や加湿エレメント（45）などの汚れの度合いを判定できる。また、判定部（96）は、将来における、ドレンパン（60）や加湿エレメント（45）の汚れの度合いを判定するものであってもよい。判定部（96）の判定結果は、例えば通信端末（80）に送信される。これにより、サービス業者等は、通信端末（80）を介して撮像対象（45,60）の現在、又は将来の状態を把握できる。
【０１３４】
判定部（96）で判定される画像データは、上述したように、空気調和装置（10）に連動した定期的なタイミングで取得される。このため、ＡＩに利用される画像データの誤差要因を取り除くことができ、判定精度を向上できる。特に上述した各機器の提示状態において、画像データを取得することで、空気の流れや振動に起因する画像データの誤差要因を確実に取り除くこができる。
【０１３５】
《その他の実施形態》
上述した全ての形態においては、以下のような構成としてもよい。
【０１３６】
フィルタ等の他の部品を撮像装置（70）の撮像対象としてもよい。
【０１３７】
撮像装置（70）による撮像の実行は、圧縮機、室外ファン等の他の所定機器の停止状態に実行させてもよい。
【０１３８】
撮像装置（70）は、カメラに限定されず、例えば光学センサであってもよい。
【０１３９】
撮像装置（70）は、天井裏に設置される室内ユニット（11）のケーシング（20）に適用されているが、床置き式、壁掛け式、天井吊り下げ式等の室内ユニットのケーシングに適用されてもよい。また、撮像装置（70）は、室外ユニットのケーシングに適用されてもよい。
【０１４０】
上述した冷房運転及び暖房運転で示した種々の撮像タイミングを、実施可能な範囲において、如何なるパターンで組み合わせてもよい。
【産業上の利用可能性】
【０１４１】
本発明は、空気調和装置について有用である。
【符号の説明】
【０１４２】
１０      空気調和装置
１９      制御部
２０      ケーシング
４０      ファン（所定機器）
４０ａ    給気ファン（所定機器）
４０ｂ    排気ファン（所定機器）
４３      室内熱交換器（所定機器）
４５      加湿エレメント（所定機器、撮像対象）
６０      ドレンパン（撮像対象）
７０      カメラ（撮像装置）
【図１】
2019039658.tif 000003
【図２】
2019039658.tif 000004
【図３】
2019039658.tif 000005
【図４】
2019039658.tif 000006
【図５】
2019039658.tif 000007
【図６】
2019039658.tif 000008
【図７】
2019039658.tif 000009
【図８】
2019039658.tif 000010
【図９】
2019039658.tif 000011
【図１０】
2019039658.tif 000012
【図１１】
2019039658.tif 000013
【図１２】
2019039658.tif 000014
【図１３】
2019039658.tif 000015
【図１４】
2019039658.tif 000016
【図１５】
2019039658.tif 000017
【図１６】
2019039658.tif 000018